(57)【特許請求の範囲】
【請求項１】
供給された画像信号をシリアルディジタルデータインターフェース（ＳＤＤＩ）に準拠した伝送フォーマットの情報信号に変換する変換工程と、
上記変換工程により変換された情報信号を復号して出画可能な情報信号を送出するモニタ信号送出工程と、
上記モニタ信号送出工程で送出された出画可能な情報信号から、伝送する画像信号の画像条件として輝度情報、色差情報及び色相情報を検出する画像条件検出工程と、
上記画像条件検出工程の検出結果に応じて伝送する画像信号の画像条件として輝度情報、色差情報及び色相情報を可変設定する画像条件設定工程と、
上記画像条件設定工程で伝送する画像信号の画像条件として設定された輝度情報、色差情報及び色相情報をビデオ信号コントロール情報として含むアトリビュート情報信号を上記変換工程で変換された情報信号にフレーム単位で多重化する多重化工程と、
上記多重化工程でアトリビュート情報信号がフレーム単位で多重化された情報信号を該情報信号に多重化されたアトリビュート情報信号に含まれるビデオ信号コントロール情報に基づいて復号化して画像信号を出力する復号化工程とを備えてなる伝送方法。
【請求項２】
供給された画像信号をシリアルディジタルデータインターフェース（ＳＤＤＩ）に準拠した伝送フォーマットの情報信号に変換する変換手段と、
上記変換手段により変換された情報信号を復号して出画可能な情報信号を送出するモニタ信号送出手段と、
上記モニタ信号送出手段から送出された出画可能な情報信号から、伝送する画像信号の画像条件として輝度情報、色差情報及び色相情報を検出する画像条件検出手段と、
上記画像条件検出手段の検出結果に応じて伝送する画像信号の画像条件として輝度情報、色差情報及び色相情報を可変設定する画像条件設定手段と、
上記画像条件設定手段により伝送する画像信号の画像条件として設定された輝度情報、色差情報及び色相情報をビデオ信号コントロール情報として含むアトリビュート情報信号を上記変換手段により変換された情報信号にフレーム単位で多重化する多重化手段と、
上記多重化手段でアトリビュート情報信号がフレーム単位で多重化された情報信号を該情報信号に多重化されたアトリビュート情報信号に含まれるビデオ信号コントロール情報に基づいて復号化して画像信号を出力する復号化手段とを備えてなる伝送装置。
【請求項３】
供給された画像信号をシリアルディジタルデータインターフェース（ＳＤＤＩ）に準拠した伝送フォーマットの情報信号に変換する変換手段と、
上記変換手段により変換された情報信号を復号して出画可能な情報信号を送出するモニタ信号送出手段と、
上記モニタ信号送出手段から送出された出画可能な情報信号から、伝送する画像信号の画像条件として輝度情報、色差情報及び色相情報を検出する画像条件検出手段と、
上記画像条件検出手段の検出結果に応じて伝送する画像信号の画像条件として輝度情報、色差情報及び色相情報を可変設定する画像条件設定手段と、
上記画像条件設定手段により伝送する画像信号の画像条件として設定された輝度情報、色差情報及び色相情報をビデオ信号コントロール情報として含むアトリビュート情報信号を上記変換手段により変換された情報信号にフレーム単位で多重化する多重化手段と、
上記多重化手段でアトリビュート情報信号がフレーム単位で多重化された情報信号を記憶する記憶手段と、
上記記憶手段に記憶された情報信号を該情報信号に多重化されたアトリビュート情報信号に含まれるビデオ信号コントロール情報に基づいて復号化して画像信号を出力する復号化手段とを備えてなるサーバシステム。
【請求項４】
記憶手段は、着脱可能な記録媒体が装着されて、該装着された記録媒体に画像信号を記録することを特徴とする請求項３記載のサーバシステム。
【請求項５】
記憶手段は、着脱可能な複数の記録媒体が装着されて、該装着された複数の記録媒体を選択的に選択して画像信号を記録することを特徴とする請求項３記載のサーバシステム。
【発明の詳細な説明】
【０００１】
【産業上の利用分野】
本発明は伝送方法、伝送装置及びサーバシステムに関し、特に画像信号の色相、色差レベル、輝度レベル等の画像条件を可変設定可能な伝送方法、伝送装置及びサーバシステムに関する。
【０００２】
【従来の技術】
テレビ放送局等で用いられるサーバシステムは、磁気テープ再生装置で再生された画像信号や無線伝送されアンテナで受信された画像信号等のように画像信号の供給源が異なったり、該供給源が同一であっても伝送状態や該供給源側の画像信号レベル等により色相、色差レベル、輝度レベル等の画像条件が各々異なる画像信号を受信する受信手段と、該受信手段で受信した画像信号を記憶する記憶手段と、該記憶手段に記憶された画像信号を設定された画像条件に基づいて変換するビデオデコーダ（以下、ＤＥＣと称する。）と、該記憶手段から読み出された画像信号を出画するモニタ等の出画手段及び該画像条件の設定や出画手段の出画作動の設定や該記憶手段の作動設定等を行う操作手段が設けられ、該操作手段の設定条件に基づき該記憶手段の制御、出画手段からの出画及び該ＤＥＣに画像条件を設定する等を行うインテリジェントデバイスコントローラ（以下、ＩＤＣと称する。）とを備えてなる。
【０００３】
上記ＤＥＣは、記憶手段から画像信号が供給される第１の伝送路と上記ＩＤＣから画像条件が供給される第２の伝送路とを有する。
【０００４】
以上の構成によるサーバシステムでは、オペレータが上記ＩＤＣの操作手段により記憶手段から読み出された画像信号を出画手段に出画させ、該出画結果に基づいてオンエアーに適した所定の条件となるように設定された画像条件が該ＩＤＣから上記第２の伝送路を介して上記ＤＥＣに供給され、該ＤＥＣで該画像条件に基づいて上記第１の伝送路を介して記憶手段から供給された画像信号をオンエアーに適したレベルで送出する。
【０００５】
【発明が解決しようとする課題】
ところで、上記ＤＥＣが複数備えられるサーバシステムを構築する場合には、各々のＤＥＣに上記第１、第２の伝送路を設ける必要が有り、該第１、第２の伝送路の配置が複雑となるばかりでなく、上記ＩＤＣにおいて、該ＩＤＣの操作手段で画像条件を設定するＤＥＣを指定したり、該指定されたＤＥＣに応じて該ＩＤＣで第２の伝送路を選択し、該選択された第２の伝送路に画像条件を供給する等の動作を必要とし、該ＩＤＣの構成及び動作が複雑になるという問題点を生じている。
【０００６】
本発明は、以上のような問題点に鑑み、構成及び動作が簡易なサーバシステム、このサーバシステムに用いて好適な伝送方法及び伝送装置を提供することを目的とする。
【０００７】
【課題を解決するための手段】
この目的を達成した本発明に係る伝送方法は、供給された画像信号をシリアルディジタルデータインターフェース（ＳＤＤＩ）に準拠した伝送フォーマットの情報信号に変換する変換工程と、上記変換工程により変換された情報信号を復号して出画可能な情報信号を送出するモニタ信号送出工程と、上記モニタ信号送出工程で送出された出画可能な情報信号から、伝送する画像信号の画像条件として輝度情報、色差情報及び色相情報を検出する画像条件検出工程と、上記画像条件検出工程の検出結果に応じて伝送する画像信号の画像条件として輝度情報、色差情報及び色相情報を可変設定する画像条件設定工程と、上記画像条件設定工程で伝送する画像信号の画像条件として設定された輝度情報、色差情報及び色相情報をビデオ信号コントロール情報として含むアトリビュート情報信号を上記変換工程で変換された情報信号にフレーム単位で多重化する多重化工程と、上記多重化工程でアトリビュート情報信号がフレーム単位で多重化された情報信号を該情報信号に多重化されたアトリビュート情報信号に含まれるビデオ信号コントロール情報に基づいて復号化して画像信号を出力する復号化工程とを備える。
【０００８】
上記目的を達成した本発明に係る伝送装置は、供給された画像信号をシリアルディジタルデータインターフェース（ＳＤＤＩ）に準拠した伝送フォーマットの情報信号に変換する変換手段と、上記変換手段により変換された情報信号を復号して出画可能な情報信号を送出するモニタ信号送出手段と、上記モニタ信号送出手段から送出された出画可能な情報信号から、伝送する画像信号の画像条件として輝度情報、色差情報及び色相情報を検出する画像条件検出手段と、上記画像条件検出手段の検出結果に応じて伝送する画像信号の画像条件として輝度情報、色差情報及び色相情報を可変設定する画像条件設定手段と、上記画像条件設定手段により伝送する画像信号の画像条件として設定された輝度情報、色差情報及び色相情報をビデオ信号コントロール情報として含むアトリビュート情報信号を上記変換手段により変換された情報信号にフレーム単位で多重化する多重化手段と、上記多重化手段でアトリビュート情報信号がフレーム単位で多重化された情報信号を該情報信号に多重化されたアトリビュート情報信号に含まれるビデオ信号コントロール情報に基づいて復号化して画像信号を出力する復号化手段とを備える。
【０００９】
上記目的を達成した本発明に係るサーバシステムは、供給された画像信号をシリアルディジタルデータインターフェース（ＳＤＤＩ）に準拠した伝送フォーマットの情報信号に変換する変換手段と、上記変換手段により変換された情報信号を復号して出画可能な情報信号を送出するモニタ信号送出手段と、上記モニタ信号送出手段から送出された出画可能な情報信号から、伝送する画像信号の画像条件として輝度情報、色差情報及び色相情報を検出する画像条件検出手段と、上記画像条件検出手段の検出結果に応じて伝送する画像信号の画像条件として輝度情報、色差情報及び色相情報を可変設定する画像条件設定手段と、上記画像条件設定手段により伝送する画像信号の画像条件として設定された輝度情報、色差情報及び色相情報をビデオ信号コントロール情報として含むアトリビュート情報信号を上記変換手段により変換された情報信号にフレーム単位で多重化する多重化手段と、上記多重化手段でアトリビュート情報信号がフレーム単位で多重化された情報信号を記憶する記憶手段と、上記記憶手段に記憶された情報信号を該情報信号に多重化されたアトリビュート情報信号に含まれるビデオ信号コントロール情報に基づいて復号化して画像信号を出力する復号化手段とを備えてなる。
【００１０】
また、記憶手段は、着脱可能な記録媒体が装着されて、該装着された記録媒体に画像信号を記録することを特徴とする。
【００１１】
また、記憶手段は、着脱可能な複数の記録媒体が装着されて、該装着された複数の記録媒体を選択的に選択して画像信号を記録することを特徴とする。
【００１２】
【作用】
以上の構成を備える本発明に係る伝送方法によれば、復号化工程において多重化工程でアトリビュート情報信号がフレーム単位で多重化された情報信号を該情報信号に多重化されたアトリビュート情報信号に含まれるビデオ信号コントロール情報に基づいて復号化して画像信号を出力する。
【００１３】
本発明に係る伝送装置によれば、復号化手段において多重化手段でアトリビュート情報信号がフレーム単位で多重化された情報信号を該情報信号に多重化されたアトリビュート情報信号に含まれるビデオ信号コントロール情報に基づいて復号化して画像信号を出力する。
【００１４】
本発明に係るサーバシステムによれば、記憶手段でアトリビュート情報信号がフレーム単位で多重化された情報信号を記憶し、復号化手段で該記憶手段に記憶された情報信号を該情報信号に多重化されたアトリビュート情報信号に含まれるビデオ信号コントロール情報に基づいて復号化して画像信号を出力する。
【００１５】
また、記憶手段の記憶媒体を着脱可能とする。
【００１６】
また、記憶手段の記憶媒体を複数着脱可能とし、該複数の記録媒体を選択的に選択して使用する。
【００１７】
【実施例】
以下、本発明に係るサーバシステムの好ましい実施例について図面を参照しながら説明する。
【００１８】
本発明に係るサーバシステム１０は、図１に示すように画像信号及び音声信号等の情報信号を受信する受信手段１と、該情報信号の伝送フォーマットを変換するＳＤＩ／ＳＤＤＩ変換手段２と、該ＳＤＩ／ＳＤＤＩ変換手段２から供給された情報信号を出画可能に送出するモニタ信号送出手段３と、該ＳＤＩ／ＳＤＤＩ変換手段２から供給された情報信号に条件信号を多重化する多重化手段４と、該多重化手段４で条件信号が多重化された情報信号を記憶する記憶手段５と、該記憶手段５から供給された情報信号を復号化する復号化手段６と、該復号化手段６から供給された情報信号を送出する送信手段７と、該ＳＤＩ／ＳＤＤＩ変換手段２、多重化手段４、記憶手段５及び復号化手段６を制御するＩＤＣ８とを備える。
【００１９】
上記受信手段１は、無線信号を受信したアンテナ７１や磁気テープ再生装置７２等の情報供給源からＮＴＳＣ方式やＰＡＬ方式等で規格化された画像信号や音声信号等の情報信号が供給され、アンテナ７１から供給された情報信号を増幅する増幅器１１と、該アンテナ７１から該増幅器１１に供給された情報信号の供給の開始及び終了を検出するトリガ検出回路１２と、該増幅器１１や磁気テープ再生装置７２から供給された情報信号のノイズ除去等の信号処理を行い、該信号処理された情報信号を送出する第１、第２のインターフェース１３ａ、１３ｂが設けられた信号処理回路１３とを有する。
【００２０】
上記ＳＤＩ／ＳＤＤＩ変換手段２は、上記受信手段１の信号処理回路１３の第１、第２のインターフェース１３ａ、１３ｂから供給された情報信号をＡ／Ｄ変換し、シリアルディジタルインターフェイス（ＳＤＩ）で規格化されるフォーマットに変換するＳＤＩデコーダ回路１５ａ、１５ｂと、該ＳＤＩデコーダ回路１５ａ、１５ｂから供給された情報信号をシリアルディジタルデータインターフェイス（ＳＤＤＩ）として提案されているフォーマットに変換するＳＤＩ／ＳＤＤＩコンバータ１６ａ、１６ｂとを有する。
【００２１】
上記ＳＤＩは、ディジタルのオーディオ信号及びビデオ信号の規格として、テレビジョンや映像工学に関する規格を発行するSociety of Motion Picture and Television Engineerings(SMPTE)のＳＭＰＴＥ−２９５Ｍで標準化されている。この規格は、基本的には、ディジタル信号規格であるＤ−１フォーマットもしくはＤ−２フォーマットを対象とした信号の規格である。図２には、Ｄ−１フォーマットの信号によるＳＤＩフォーマットの概略的な構成を示す。
【００２２】
図２Ａは、水平方向１７１６ワード、垂直方向５２５ラインから成るフレームフォーマットを示す。ディジタルビデオ信号は、水平方向１４４０ワード、垂直方向２４４ラインの第１フィールドアクティブビデオ部ＡＶＣ1 及び２４３ラインの第２フィールドアクティブビデオ部ＡＶＣ2 の部分に置かれる。具体的には、第１フィールドアクティブビデオ部ＡＶＣ1 は奇数フィールドのディジタルビデオ信号であり、第２フィールドアクティブビデオ部ＡＶＣ2 は偶数フィールドのディジタルビデオ信号である。この第１フィールドアクティブビデオ部ＡＶＣ1 及び第２フィールドアクティブビデオ部ＡＶＣ2 の前には、９ライン分の垂直ブランキング部ＶＢＫ1 、ＶＢＫ2 及び１０ライン分のオプショナルブランキング部ＯＢＫ1 、ＯＢＫ2 がそれぞれ挿入される。また、上記第１フィールドアクティブビデオ部ＡＶＣ1 、第２フィールドアクティブビデオ部ＡＶＣ2 、垂直ブランキング部ＶＢＫ1 、ＶＢＫ2 、及びオプショナルブランキング部ＯＢＫ1 、ＯＢＫ2 の前後には、アクティブラインの開始を示す４ワードの開始同期符号ＳＡＶとアクティブラインの終了を示す４ワードの終了同期符号ＥＡＶとが挿入される。さらに、上記開始同期符号ＳＡＶと終了同期符号ＥＡＶとの間には、２６８ワード分の水平ブランキングの補助データであるアンシラリデータ部ＨＡＮＣが置かれる。図２Ｂは、図２Ａに示すフレームフォーマットの信号を１０ワード幅のラインフォーマットで示したものである。このＳＤＩフォーマットによる信号を伝送するときには、図２Ｃに示すように、パラレル−シリアル変換及び伝送路符号化が行われて、データレートが２７０Ｍｂｐｓのシリアル信号として伝送される。
【００２３】
上記ＳＤＤＩフォーマットは、Ｄ−１フォーマットの信号によるものである。上記ＳＤＩフォーマットと同様に、第１のデータ部ＤＴ1 及び第２のデータ部ＤＴ2 をもち、これら第１のデータ部ＤＴ1 及び第２のデータ部ＤＴ2 の前にはブランクデータ部ＢＤＴ1 、ＢＤＴ2 がそれぞれ挿入されている。また、データ部ＤＴ1 、ＤＴ2 及びブランクデータ部ＢＤＴ1 、ＢＤＴ2 の前後には、それぞれ４ワードの開始同期符号ＳＡＶ及び終了同期符号ＥＡＶが置かれる。さらに、開始同期符号ＳＡＶと終了同期符号ＥＡＶとの間には、補助データであるアンシラリデータ部ＡＮＣが置かれる。
【００２４】
このように、ＳＤＤＩフォーマットはＳＤＩフォーマットとの互換性を保ちながら該ＳＤＩフォーマットを拡張したものとなっている。具体的には、図３Ａに示すフレームフォーマット、即ち垂直方向フォーマットのブランクデータ部ＢＤＴの部分は、後述するデータタイプ及びライン番号の設定により、その位置及びライン数を自由に変更することが可能である。よって、ＳＤＩフォーマットと同一に設定することも可能である。従って、既存のラウタやスイッチャ等によって垂直ブランキング区間で信号の切り換えが行われるようなシステム構成においても、ＳＤＤＩフォーマットのデータを、予め垂直ブランキング区間内の単位で完結した形式にすることにより用いることができる。また、データの設定によっては、フレームの全区間に有効データを挿入し、データ部ＤＴとすることも可能となるので、このＳＤＤＩフォーマットによるデータは柔軟性のあるシステム構築を行うことが可能となる。
【００２５】
図３Ｂに示すラインフォーマット、即ち水平フォーマットは、４ワードの終了同期符号ＥＡＶ、２６８ワードのアンシラリデータ部ＡＮＣ、４ワードの開始同期符号ＳＡＶ、及び１４４０ワードのペイロード部ＰＡＤから構成される。このＳＤＤＩフォーマットのラインフォーマットにおいても、ＳＤＩフォーマットのラインフォーマットと同様に、開始同期符号ＳＡＶ、終了同期符号ＥＡＶが挿入されている。従って、ＳＤＤＩフォーマットによる信号とＳＤＩフォーマットによる信号との互換性を保つことができる。
【００２６】
さらに、このＳＤＤＩフォーマットによる信号を伝送するときには、ＳＤＩフォーマットによる信号と同様に、パラレル−シリアル変換及び伝送路符号化が行われて、図３Ｃに示す、データレートが２７０Ｍｂｐｓのシリアル信号として伝送される。
【００２７】
次に、図４にＳＤＤＩフォーマットの具体的な構成を示す。
【００２８】
図４Ａに示すように、上記アンシラリデータ部ＡＮＣの先頭には、このラインのデータが該当するラインの番号を示すライン番号領域ＬＮが置かれる。このライン番号の設定により、ＳＤＩフォーマットと同様に、特定のライン番号の垂直ブランキング区間を再現することができる。また、アンシラリデータ部ＡＮＣ内には、オーディオデータ領域ＡＤ1 、ＡＤ2 、ＡＤ3 や制御データ領域ＣＤ1 のように、複数チャネルのオーディオデータや制御データが混在することができ、また、複数のメディアのそれぞれの伝送レートに基づいて、一つのチャネルのデータは可変長のデータ領域を占有することができる。具体的には、オーディオデータ領域ＡＤ又は制御データ領域ＣＤはフラグＦＧと組み合わされて一つのチャネルのデータとされ、、例えば、図４Ａに示すように、フラグＦＧ1 、オーディオデータ領域ＡＤ1 、フラグＦＧ2 、オーディオデータ領域ＡＤ2 、フラグＦＧ3 、制御データ領域ＣＤ1 、フラグＦＧ4 、・・・と続けられる。
【００２９】
一つのデータチャネルは、図４Ｂに示すように、タイプ領域ＴＰ、バイトカウント領域ＢＣ、エラー訂正コードＥＣＣ、及びデータ領域ＤＴから構成される
。上記タイプ領域ＴＰはデータ領域ＤＴ内のデータの内容を示し、バイトカウント領域ＢＣはデータ領域ＤＴのデータの長さを示し、エラー訂正コードＥＣＣはメディア毎のタイプ領域ＴＰ及びバイトカウント領域ＢＣのチェックサムもしくはＣＲＣ(Cyclic Redundancy Check) 符号等であり、このエラー訂正コードＥＣＣによってタイプ領域ＴＰ及びバイトカウント領域ＢＣのエラー検出及び訂正を行う。
【００３０】
また、ペイロード部ＰＡＤ内には複数チャネルのビデオデータが混在することができる。各チャネルのビデオデータはフラグＦＧとビデオデータ領域ＶＤとから成り、図４Ｃに示すように、フラグＦＧ1 、ビデオデータ領域ＶＤ1 、フラグＦＧ2 、ビデオデータ領域ＶＤ2 、フラグＦＧ3 、ビデオデータ領域ＶＤ3 、フラグＦＧ4 、ビデオデータ領域ＶＤ4 、フラグＦＧ5 、・・・と続けられる。一つのデータチャネルは、図４Ｄに示すように、アンシラリデータ部ＡＮＣ内のデータチャネルの構成と同様に、タイプ領域ＴＰ、バイトカウント領域ＢＣ、エラー訂正コードＢＣＣ、及びデータ領域ＤＴから成る。
【００３１】
上記モニタ信号送出手段３は、上記ＳＤＩ／ＳＤＤＩ変換手段２のＳＤＩ／ＳＤＤＩコンバータ１６ａ、１６ｂから供給されたＳＤＤＩフォーマットの情報信号を復号化する復号化手段１８ａ、１８ｂと、該復号化手段１８ａ、１８ｂから供給された情報信号をＤ／Ａ変換して画像信号及び音声信号を出力するエンコーダ回路１９ａ、１９ｂとを有する。
【００３２】
上記多重化手段４は、ＳＤＩ／ＳＤＤＩ変換手段２から供給されたＳＤＤＩフォーマットの情報信号にアトリビュート情報信号を多重化するサーバデータコントローラ（以下、ＳＤＣと称する。）２１〜２８を有する。
【００３３】
上記多重化手段４では、図５に示すように２フレームの情報信号を１パックとし、データ部ＤＴ１、ＤＴ２の圧縮処理で空いた領域の一部であるアトリビュート部ＡＴ１、ＡＴ２にアトリビュート情報信号を多重化する。
【００３４】
上記アトリビュート情報信号は、図６に示すように他の情報信号から識別可能なセパレート部ＳＰが先頭に配置され、このセパレート部ＳＰから順番にアトリビュート情報部ＡＴ、アトリビュート制御部ＡＴＣ、ビデオ情報部ＶＣ、ビデオプロセスコントロール部ＶＰＣが配置されて、最終部に終端部ＥＤが配置される。該アトリビュート情報部ＡＴには、アトリビュートコマンド列であることを示すタイプ情報や該アトリビュート情報信号のワード数を示すワードカウント情報が設定される。該アトリビュート制御部ＡＴＣには、制御情報のデータであることを示すタイプ情報や該データのワード数を示すカウント情報やデータ情報が設定される。該ビデオ情報部ＶＣには、画像信号の制御情報であることを示すタイプ情報や該制御情報のワード数を示すカウント情報が設定される。該ビデオプロセスコントロール部ＶＰＣには、輝度情報、色差情報及び色相情報が設定される。
【００３５】
上記１パックの情報信号は、図７に示すように１パック毎に識別可能な識別部ＳＫが先頭に配置され、この識別部ＳＫから順番に画像信号領域ＶＤ、音声信号フォーマット領域ＥＦ、音声信号領域ＡＤが配置されて、最終部に終端部ＳＥが配置される。該識別部ＳＫには、１パックの先頭であることを示すセパレート情報や情報信号列であることを示すタイプ情報や該情報信号列のワード数を示すワードカウント情報が設定される。該画像信号領域ＶＤは、２フレーム分の画像信号が１ＧＯＰとして形成され、各フレーム毎の先頭を示すフレームヘッドや該１ＧＯＰのフォーマットを示すシステム情報や画像信号のインデックス情報や画像信号や画像データが配置される。該音声信号フォーマット領域ＥＦには、音声信号フォーマット領域ＥＦの先頭であることを示すセパレート情報やフォーマット情報であることを示すタイプ情報やフォーマット情報のワード数を示すカウント情報や１ＧＯＰの音声信号のフレーム数を示すチャンネル情報や該１ＧＯＰの各チャンネル毎のノーマルかミュートかを示すミュート情報が設定される。該音声信号領域ＡＤは、２フレーム分の音声信号を１ＧＯＰとし８ＧＯＰの容量を持ち、ＧＯＰ単位に音声フォーマット情報及び音声信号が配置される。
【００３６】
以上のように多重化手段４では、アトリビュート部に上記ＩＤＣ８で設定されたアトリビュート情報を多重化する。
【００３７】
上記記憶手段５は、上記多重化手段４の各ＳＤＣ２１〜２８から供給された情報信号を各々独立に例えば光磁気ディスク等に記録及び再生する光磁気ディスクドライブ等（以下、ＭＯＤと称する。）３１〜３８を有する。
【００３８】
上記復号化手段６は、上記記憶手段５のＭＯＤ３１〜３８から供給された情報信号をデコードしてＳＤＤＩ／ＳＤＩ変換し、該情報信号に多重化されたアトリビュート情報信号に基づいて、該各情報信号の信号レベルを各々独立に可変設定するデコード回路４１〜４８を有する。
【００３９】
送信手段７は、スイッチャ３０を介してＩＤＣ８で選択された復号化手段６のデコード回路４１〜４８から供給された画像信号をモニタ等で出画するため及び音声信号をスピーカ等で音声出力するための信号処理を施し、Ｄ／Ａ変換するエンコーダ回路５１〜５８を有する。
【００４０】
上記ＩＤＣ８は、ローカルエリアネットワーク（ＬＡＮ：local area network）等で規定されるインサーネットで接続された制御部６１と、画像条件設定手段６５とを備える。該制御部６１は、受信手段１のトリガ検出回路１２や磁気テープ再生装置７２等からスタートトリガ信号が供給され、このスタートトリガ信号に基づいてＳＤＩ／ＳＤＤＩ変換手段２のＳＤＩ／ＳＤＤＩコンバータ１６ａ、１６ｂと多重化手段４のＳＤＣ２１〜２８の接続を切り換え設定し、該多重化手段４の圧縮処理やアトリビュート情報の多重化作動のタイミングを制御し、該アトリビュート情報が多重化された情報信号を記憶手段５に記憶させるタイミング及び該記憶手段５から情報信号を復号化手段６に供給させるタイミンングを制御する。該画像条件設定手段６５は、モニタ信号送出手段３から供給され情報信号をモニタしながら該モニタ信号送出手段３のレベル可変回路１８ａ、１８ｂの信号レベルをオンエアーに適したレベルとなるように可変設定し、該設定されたレベル信号をアトリビュート情報として、該制御部６１で選択されたＳＤＣに該アトリビュート情報信号を設定するレベルコントロール回路６６ａ、６６ｂを有する。
【００４１】
以上の構成によるサーバシステム１０は、ＳＤＩ／ＳＤＤＩ変換手段２のＳＤＩデコーダ回路１５ａ、１５ｂから供給された情報信号に基づいて、モニタ信号送出手段３の検出結果をオペレータがモニタで検出しながら該モニタ信号送出手段３のレベル可変回路１８ａ、１８ｂの可変設定によりオンエアーさせるために適したしたアトリビュート情報を選定して、図８、図１に示すように該ＳＤＩ／ＳＤＤＩ変換手段２のＳＤＩ／ＳＤＤＩコンバータ１６ａ、１６ｂと接続する多重化回路４のＳＤＣ２１〜２８をＩＤＣ８のルーテングスイッチ２０の切り換えにより制御し、該アトリビュート情報を該選定されたＳＤＣ２１〜２８に該ＩＤＣ８から供給し、該ＳＤＣ２１〜２８で情報信号にアトリビュート情報を多重化して記憶手段５で該アトリビュート情報が多重化された情報信号をＭＯＤ３１〜３８に記録する。該記憶手段５のＭＯＤ３１〜３８に記録された情報信号を該ＩＤＣ８の制御による該ルーテングスイッチ２０の切り換えで選択されたＭＯＤ３１〜３８から復号化手段６のデコード回路４１〜４８に供給されて、該デコード回路４１〜４８でアトリビュート情報に基づいて情報信号が復号化されて、送信手段７のエンコーダ５１〜５８に供給されてオンエアーする。このように、モニタ信号送出手段３及びＩＤＣ８が画像条件検出手段及び画像条件設定手段として機能する。
【００４２】
以上のサーバシステム１０を構成する画像条件検出手段、画像条件設定手段、多重化手段４及び復号化手段６が伝送装置として機能し、また、該機能により伝送方法が実施される。
【００４３】
従って、本発明に係る伝送方法によれば、復号化工程において多重化工程で画像条件が多重化された画像信号を該画像条件に基づいて復号化し、多重化工程から復号化工程の作動が簡易となる。
【００４４】
また、本発明に係る伝送装置によれば、復号化手段６において多重化手段４で画像条件が多重化された画像信号を該画像条件に基づいて復号化し、多重化手段４から復号化手段６への画像信号の伝送が１系統で行われて簡易な構成となる。
【００４５】
また、本発明に係るサーバシステムによれば、記憶手段５で画像条件が多重化された画像信号を記憶し、復号化手段６で該記憶手段５に記憶された画像条件が多重化され画像信号を該画像条件に基づいて復号化し、多重化手段４から記憶手段５及び記憶手段５から復号化手段６への画像信号の伝送が１系統で行われ、画像信号を簡易な構成で記憶及び復号化する。
【００４６】
また、記憶手段の記憶媒体を着脱可能な光磁気ディスクとする。このため、該光磁気ディスクを他のサーバシステムや他の外部装置と互換性を保って使用することが可能である。
【００４７】
また、記憶手段５をＭＯＤ３１〜３８で構成し、光磁気ディスクを複数着脱可能とし、該複数の光磁気ディスクを選択的に選択して使用し、複数の画像信号の供給源から供給された画像信号を独立して記憶可能となり、該供給源毎のファイリングが簡易となる。
【００４８】
【発明の効果】
以上詳細に説明したように、本発明に係る伝送方法によれば、復号化工程において多重化工程でアトリビュート情報信号がフレーム単位で多重化された情報信号を該情報信号に多重化されたアトリビュート情報信号に含まれるビデオ信号コントロール情報に基づいて復号化して画像信号を出力する。このため、多重化工程から復号化工程の作動が簡易な伝送方法の提供が可能となる。
【００４９】
本発明に係る伝送装置によれば、復号化手段において多重化手段でアトリビュート情報信号がフレーム単位で多重化された情報信号を該情報信号に多重化されたアトリビュート情報信号に含まれるビデオ信号コントロール情報に基づいて復号化して画像信号を出力する。このため、多重化手段から復号化手段への画像信号の伝送が１系統で行われて簡易な構成となる伝送装置の提供が可能となる。
【００５０】
本発明に係るサーバシステムによれば、記憶手段でアトリビュート情報信号がフレーム単位で多重化された情報信号を記憶し、復号化手段で該記憶手段に記憶された情報信号を該情報信号に多重化されたアトリビュート情報信号に含まれるビデオ信号コントロール情報に基づいて復号化して画像信号を出力する。このため、多重化手段から記憶手段及び記憶手段から復号化手段への画像信号の伝送が１系統で行われ、画像信号を簡易な構成で記憶及び復号化するサーバシステムの提供が可能となる。
【００５１】
また、記憶手段の記憶媒体を着脱可能とする。このため、記録媒体を他のサーバシステムや他の外部装置と互換性を保って使用することが可能となる。
【００５２】
また、記憶手段の記憶媒体を複数着脱可能とし、該複数の記録媒体を選択的に選択して使用する。このため、複数の画像信号の供給源から供給された画像信号を独立して記憶可能となり、該供給源毎のファイリングが簡易となる等により使用勝手が向上する。
【図面の簡単な説明】
【図１】本発明に係るサーバシステムのブロック構成図である。
【図２】上記サーバシステムのＳＤＩフォーマットの概略構成図である。
【図３】上記サーバシステムのＳＤＤＩフォーマットの概略構成図である。
【図４】上記ＳＤＤＩフォーマットのラインフォーマットの具体的な構成図である。
【図５】上記ラインフォーマットのフレームの構成図である。
【図６】上記圧縮後のラインフォーマットのアトリビュート情報部の構成図である。
【図７】上記ラインフォーマットの圧縮された情報信号の構成図である。
【図８】本発明に係るサーバシステムの要部のブロック構成図である。
【符号の説明】
３  モニタ信号送出手段
４  多重化手段
５  記憶手段
６  復号化手段
８  インテリジェントデバイスコントローラ（ＩＤＣ）
１０  サーバシステム
【図１】
0003684605.tif 000002
【図２】
0003684605.tif 000003
【図３】
0003684605.tif 000004
【図４】
0003684605.tif 000005
【図５】
0003684605.tif 000006
【図６】
0003684605.tif 000007
【図７】
0003684605.tif 000008
【図８】
0003684605.tif 000009